【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
被記録媒体に記録を行う記録ヘッドと、
前記記録ヘッドの上流側に設けられ、被搬送媒体を前記記録ヘッドと対向する領域へ搬送する搬送手段と、
前記記録ヘッドの下流側に設けられ、回転駆動される排出駆動ローラ及び該排出駆動ローラに接して従動回転する排出従動ローラとを備えて構成された、被搬送媒体を装置外部へ排出する排出手段と、を備えるとともに、被記録媒体をセット可能な前記被搬送媒体としてのトレイを搬送可能に構成された記録装置であって、
前記トレイを支持するトレイ支持面を備え、前記トレイを前記トレイ支持面から前記被搬送媒体の搬送経路に案内可能なトレイガイドを前記排出手段の下流側に備え、
前記排出従動ローラは、前記トレイの前記トレイ支持面からの浮き上がり側に位置しているとともに、前記排出駆動ローラに接する接触ポジションと、前記排出駆動ローラから離間する離間ポジションと、をとり得るように変位可能に設けられ、
少なくとも前記排出従動ローラが前記離間ポジションにあるときに、前記トレイの前記排出従動ローラ側への浮き上がりを規制する浮き上がり規制手段を備えている、
ことを特徴とする記録装置。
【請求項２】
請求項１において、前記浮き上がり規制手段は、前記離間ポジションにある前記排出従動ローラの外周から、前記トレイの搬送経路に対して突出する浮き上がり規制部材によって、前記トレイの前記トレイ支持面からの浮き上がりを規制するよう構成されている、
ことを特徴とする記録装置。
【請求項３】
請求項２において、前記浮き上がり規制部材は、前記トレイの幅方向に複数設けられている、
ことを特徴とする記録装置。
【請求項４】
請求項２または３において、前記浮き上がり規制部材は、前記トレイにセットされた被記録媒体を避ける位置に配設されている、
ことを特徴とする記録装置。
【請求項５】
請求項２から４のいずれか１項において、前記浮き上がり規制部材は、前記排出従動ローラが前記離間ポジションにあるときは前記トレイの搬送経路側に突出し、
前記排出従動ローラが前記接触ポジションにあるときは前記トレイの搬送経路から離間するよう構成されている、
ことを特徴とする記録装置。
【請求項６】
請求項１から５のいずれか１項において、前記トレイガイドは、前記トレイを前記トレイ支持面から前記被搬送媒体の搬送経路に案内可能な第１のポジションと、前記搬送経路から退避する第２のポジションと、をとり得るように変位可能に構成されている、
ことを特徴とする記録装置。
【請求項７】
請求項６において、前記トレイガイドが、被搬送媒体の搬送経路を側視して、前記トレイ支持面が前記トレイの搬送方向に沿う姿勢を維持しつつ前記第１のポジションと前記第２のポジションとの間を変位するよう構成されている、
ことを特徴とする記録装置。
【請求項８】
請求項７において、前記トレイガイドを前記第１のポジション及び前記第２のポジションに保持するとともに、前記トレイガイドを前記第１のポジションから前記第２のポジションへ、及び前記第２のポジションから前記第１のポジションへと案内するガイド保持手段が、前記第１のポジションにある前記トレイガイドが前記記録装置の後方側へ向けて押し込まれると前記トレイガイドを前記第２のポジションに保持し、且つ前記第２のポジションにある前記トレイガイドが前記記録装置の後方側へ向けて押し込まれると前記トレイガイドの前記第２のポジションでの保持状態を解除する、
ことを特徴とする記録装置。
【請求項９】
請求項６から８のいずれか１項において、前記浮き上がり規制部材が、前記トレイガイドの変位動作に連係して、前記トレイガイドが前記第１のポジションにあるときは前記トレイの搬送経路側に突出し、
前記トレイガイドが前記第２のポジションにあるときは前記トレイの搬送経路から離間するよう構成されている、
ことを特徴とする記録装置。
【請求項１０】
請求項６から９のいずれか１項において、前記排出従動ローラが、前記トレイガイドの変位動作に連係して、前記トレイガイドが前記第１のポジションから前記第２のポジションへ変位するときには前記離間ポジションから前記接触ポジションへ変位し、前記トレイガイドが前記第２のポジションから前記第１のポジションへ変位するときには前記接触ポジションから前記離間ポジションへ変位するよう構成されている、
ことを特徴とする記録装置。
【請求項１１】
被噴射媒体に液体噴射を行う液体噴射ヘッドと、
前記液体噴射ヘッドの上流側に設けられ、被搬送媒体を前記液体噴射ヘッドと対向する領域へ搬送する搬送手段と、
前記液体噴射ヘッドの下流側に設けられ、回転駆動される排出駆動ローラ及び該排出駆動ローラに接して従動回転する排出従動ローラとを備えて構成された、被搬送媒体を装置外部へ排出する排出手段と、を備えるとともに、被噴射媒体をセット可能な前記被搬送媒体としてのトレイを搬送可能に構成された液体噴射装置であって、
前記トレイを支持するトレイ支持面を備え、前記トレイを前記トレイ支持面から前記被搬送媒体の搬送経路に案内可能なトレイガイドを前記排出手段の下流側に備え、
前記排出従動ローラは、前記トレイの前記トレイ支持面からの浮き上がり側に位置しているとともに、前記排出駆動ローラに接する接触ポジションと、前記排出駆動ローラから離間する離間ポジションと、をとり得るように変位可能に設けられ、
少なくとも前記排出従動ローラが前記離間ポジションにあるときに、前記トレイの前記排出従動ローラ側への浮き上がりを規制する浮き上がり規制手段を備えている、
ことを特徴とする液体噴射装置。
【手続補正２】
【補正対象書類名】明細書
【補正対象項目名】００１０
【補正方法】変更
【補正の内容】
【００１０】
上記課題を解決するために、本発明の第１の態様は、被記録媒体に記録を行う記録ヘッドと、前記記録ヘッドの上流側に設けられ、被搬送媒体を前記記録ヘッドと対向する領域へ搬送する搬送手段と、前記記録ヘッドの下流側に設けられ、回転駆動される排出駆動ローラ及び該排出駆動ローラに接して従動回転する排出従動ローラとを備えて構成された、被搬送媒体を装置外部へ排出する排出手段と、を備えるとともに、被記録媒体をセット可能な前記被搬送媒体としてのトレイを搬送可能に構成された記録装置であって、前記トレイを支持するトレイ支持面を備え、前記トレイを前記トレイ支持面から前記被搬送媒体の搬送経路に案内可能なトレイガイドを前記排出手段の下流側に備え、前記排出従動ローラは、前記トレイの前記トレイ支持面からの浮き上がり側に位置しているとともに、前記排出駆動ローラに接する接触ポジションと、前記排出駆動ローラから離間する離間ポジションと、をとり得るように変位可能に設けられ、少なくとも前記排出従動ローラが前記離間ポジションにあるときに、前記トレイの前記排出従動ローラ側への浮き上がりを規制する浮き上がり規制手段を備えていることを特徴とする。
【手続補正３】
【補正対象書類名】明細書
【補正対象項目名】００２２
【補正方法】変更
【補正の内容】
【００２２】
本発明の第１１の態様は、被噴射媒体に液体噴射を行う液体噴射ヘッドと、前記液体噴射ヘッドの上流側に設けられ、被搬送媒体を前記液体噴射ヘッドと対向する領域へ搬送する搬送手段と、前記液体噴射ヘッドの下流側に設けられ、回転駆動される排出駆動ローラ及び該排出駆動ローラに接して従動回転する排出従動ローラとを備えて構成された、被搬送媒体を装置外部へ排出する排出手段と、を備えるとともに、被噴射媒体をセット可能な前記被搬送媒体としてのトレイを搬送可能に構成された液体噴射装置であって、前記トレイを支持するトレイ支持面を備え、前記トレイを前記トレイ支持面から前記被搬送媒体の搬送経路に案内可能なトレイガイドを前記排出手段の下流側に備え、前記排出従動ローラは、前記トレイの前記トレイ支持面からの浮き上がり側に位置しているとともに、前記排出駆動ローラに接する接触ポジションと、前記排出駆動ローラから離間する離間ポジションと、をとり得るように変位可能に設けられ、少なくとも前記排出従動ローラが前記離間ポジションにあるときに、前記トレイの前記排出従動ローラ側への浮き上がりを規制する浮き上がり規制手段を備えていることを特徴とする。